(57)【要約】【課題】端子接続作業を、個別に、かつ簡便に行うことができる端子台を得る。【解決手段】端子台１０１の基部３に設けられた通電部材６、この通電部材６に接続される端子９を、通電部材６側に押して接続させる端子押圧部材５、端子台３の内部に設けられ、軸部４ａ中心に一方向に回転し、その回転状態に応じて端子押圧部材５の通電部材６側への押圧状態を変化させるカム４を備え、一つの通電部材６に一つの端子押圧部材５が対応して配設されている。カム４は、軸部４ａを中心とした第一の回転範囲において、端子押圧部材５が通電部材６側から離間したＯＦＦ状態となるように端子押圧部材６を制御し、第二の回転範囲において、端子押圧部材５が通電部材６側に押されてＯＮ状態となるように端子押圧部材６を制御する。【選択図】図６
2018101520.tif 000002
【特許請求の範囲】
【請求項１】
端子台の基部に設けられた通電部材、
上記通電部材に接続される端子を、上記通電部材側に押して接続させる端子押圧部材、
上記端子台の内部に設けられ、軸中心に一方向に回転し、その回転状態に応じて上記端子押圧部材の上記通電部材側への押圧状態を変化させるカムを備え、
一つの上記通電部材に対して、一つの上記端子押圧部材が配設され、
上記カムは、上記軸を中心とした第一の回転範囲において、上記端子押圧部材が上記通電部材側から離間したＯＦＦ状態となるように上記端子押圧部材を制御し、上記第一の回転範囲とは異なる第二の回転範囲において、上記端子押圧部材が上記通電部材側に押されてＯＮ状態となるように上記端子押圧部材を制御することを特徴とする端子台。
【請求項２】
上記カムは、一方向に並んだ複数の上記通電部材と平行して上記軸が延在するとともに、上記軸に固定された複数のカム片を備え、
一つの上記端子押圧部材に対して、一つの上記カム片が配設され、
複数の上記端子押圧部材は、上記カムの複数の上記カム片により、個別に制御されるように構成されたことを特徴とする請求項１記載の端子台。
【請求項３】
上記端子押圧部材は、一端部にハンドリング操作部を有し、
上記端子押圧部材の上記ハンドリング操作部を操作することによって、個別に上記端子押圧部材をＯＦＦ状態とするように構成されたことを特徴とする請求項１または請求項２記載の端子台。
【請求項４】
上記カムの上記軸を中心とした回転範囲の中に、上記第一の回転範囲から上記第二の回転範囲に至るまでの間に、第三の回転範囲を含み、
上記カムの上記第三の回転範囲における上記端子押圧部材の制御において、一部の上記端子押圧部材が上記通電部材側から離間したＯＦＦ状態となり、残りの上記端子押圧部材が上記通電部材側に押されたＯＮ状態となるように構成されたことを特徴とする請求項１から３のいずれか一項記載の端子台。
【請求項５】
上記カムの上記第三の回転範囲における上記端子押圧部材の制御において、上記カムの回転に伴って、複数の上記端子押圧部材の中の一つずつが順にＯＦＦ状態からＯＮ状態へ変化するように構成されたことを特徴とする請求項４記載の端子台。
【請求項６】
上記端子押圧部材を上記通電部材側に押す押圧力は、上記端子押圧部材または上記基部に設けられた付勢部材により出力されることを特徴とする請求項１から５のいずれか一項記載の端子台。
【請求項７】
上記端子押圧部材を上記通電部材側に押す押圧力は、上記カムにより出力されることを特徴とする請求項１から５のいずれか一項記載の端子台。
【請求項８】
上記端子押圧部材は、上記通電部材と接触する第一の面部と、上記第一の平面部に繋がり、上記カムとの接触部を構成する第二の面部を含み、上記第一の面部と上記第二の面部との接続部分を回動軸とし、上記カムとの接触状態に応じて回動するように構成されたことを特徴とする請求項１から７のいずれか一項記載の端子台。
【請求項９】
上記端子押圧部材は、上記回動軸において、上記第一の面部と上記第二の面部の端部が角度をもって突き合わされた形状であることを特徴とする請求項８記載の端子台。
【請求項１０】
上記第一の面部と上記第二の面部のなす角は鋭角であることを特徴とする請求項９記載
の端子台。
【請求項１１】
上記第二の面部には、上記カムを通過させるための切り欠き部が設けられたことを特徴とする請求項８から１０のいずれか一項記載の端子台。
【請求項１２】
上記端子押圧部材は、上記第一の面部から突出し、上記通電部材に設けられた孔部に挿通される突起部を備えたことを特徴とする請求項８から１１のいずれか一項記載の端子台。
【請求項１３】
上記端子押圧部材は、上記第一の面部から突出し、上記端子の表面を押圧する、上記突起部よりも突出量が小さい端子押え部を備えたことを特徴とする請求項１２記載の端子台。
【請求項１４】
上記通電部材の上記端子と接触する面部は、上記基部の設置面に垂直となるように設けられたことを特徴とする請求項１から１３のいずれか一項記載の端子台。
【請求項１５】
上記通電部材の上記端子と接触する面部は、上記基部の設置面に対して傾斜するように設けられたことを特徴とする請求項１から１３のいずれか一項記載の端子台。
【請求項１６】
上記カムの上記軸の一端に設けられた第一のかさ歯車、上記第一のかさ歯車に連動する第二のかさ歯車、上記第二のかさ歯車の回転を制御し、上記カムの回転角度を調整する回転操作部を備え、
上記回転操作部は、上記端子台の外側に設けられたことを特徴とする請求項１から１５のいずれか一項記載の端子台。
【請求項１７】
請求項１から１６のいずれか一項記載の端子台を構成要素として用いたことを特徴とする気中遮断器。
【請求項１８】
上記端子台は、上記気中遮断器の上部に配置されたことを特徴とする請求項１７記載の気中遮断器。
【発明の詳細な説明】
【技術分野】
【０００１】
本発明は、端子台およびその端子台を備えた気中遮断器に関するものである。
【背景技術】
【０００２】
気中遮断器は、一般に、ビル、工場などの主幹用遮断器として使用されることが多く、この気中遮断器を遠方から操作する付属装置や、気中遮断器の開閉状態を電気的に表示する付属装置を構成要素として備えている。また分岐用遮断器の容量により、気中遮断器の動作特性も変更できるように可調整の電子式引外しリレーを備えている。そのため、気中遮断器には付属装置の電気的接続や引外しリレーに電源供給するための端子台が備えられている。
【０００３】
一般に、端子台は気中遮断器の上部に配置され、その上面側から端子接続部に端子を接続する配線作業を行うよう構成されている。また、複数の装置に配線するため、多数の端子接続部を備えている。端子の端子台への固定方法は、端子台に設けられたネジ端子部（端子接続部）にネジ締めにより締結固定させる方法と、端子台に設けられた速結端子接続部に速結端子を挿入して固定させる方法に大別される。
【０００４】
また、従来技術として、遮断器本体に設置される固定制御端子モジュールとクレードルに設置される可動制御端子モジュールとを自動的に接続あるいは分離する制御端子自動接続装置が開示されている(例えば、特許文献１参照)。
【先行技術文献】
【特許文献】
【０００５】
【特許文献１】特開２００９−２２１５９号公報
【発明の概要】
【発明が解決しようとする課題】
【０００６】
上記のように端子接続部にネジ端子部を用いた場合、導体を挿通させる丸孔をもつ丸形端子は配線可能である。しかしながら、ネジ締め作業を必要とするため、作業性が悪いという問題があった。特に、気中遮断器の端子台のように、多数の端子に対してネジ締めを行う必要がある場合、作業時間の増大はより大きな問題となっていた。さらに、端子接続部の過熱を抑制するため、ネジの緩みに対する対策として、定期的な増し締め作業が必要になるというメンテナンス上の問題もあった。
【０００７】
一方、速結端子を用いた端子接続においては、端子を挿入する速結端子接続部に、先端部の形状が二本に分かれた速結端子を差し込むだけで配線ができるため作業時間は短縮でき、締結部材としてネジを用いる必要はない。しかし、速結端子接続部に接続可能な端子の形状は限定されており、丸形端子のような先端部の形状が異なるタイプのものは接続することができなかった。また、速結端子による端子接続の場合、丸形端子による接続よりも締結強度が弱く、接続された端子に繋がる配線に誤って荷重がかかった場合に、通電部に押し当てられていた端子が引き抜かれてしまい、端子台に繋がる気中遮断器等の機器動作に支障をきたす場合もあった。
【０００８】
さらに、気中遮断器に端子台が設けられる場合、上述のように、端子台は気中遮断器の上面側に配置される構成となる。そのため、配電盤内の上部にて配線作業を行う必要があり、配電盤の中に気中遮断器が収納される状況下においては、作業スペースが限定され、設置配線作業を行う作業者の目線が高くなることから、作業を目視しにくく、配線作業に
困難を伴っていた。
【０００９】
また、特許文献１に開示された制御端子自動接続用装置にあっては、制御端子モジュールに備えられた複数の制御端子を一括して接続あるいは分離する構成が開示されているが、個別に制御端子を接続あるいは分離することができない構成であった。
【００１０】
本発明は、上記のような課題を解決するためになされたものであり、配線作業やメンテナンスに問題があるネジを用いることなく、端子を接続する端子接続部に個別に端子を接続させられるとともに、一括して配線状態を変化させることができ、端子接続作業の簡便化が可能な端子台およびその端子台を備えた気中遮断器を提供することを目的とする。
【課題を解決するための手段】
【００１１】
この発明に係わる端子台は、端子台の基部に設けられた通電部材、上記通電部材に接続される端子を、上記通電部材側に押して接続させる端子押圧部材、上記端子台の内部に設けられ、軸中心に一方向に回転し、その回転状態に応じて上記端子押圧部材の上記通電部材側への押圧状態を変化させるカムを備え、一つの上記通電部材に対して、一つの上記端子押圧部材が配設され、上記カムは、上記軸を中心とした第一の回転範囲において、上記端子押圧部材が上記通電部材側から離間したＯＦＦ状態となるように上記端子押圧部材を制御し、上記第一の回転範囲とは異なる第二の回転範囲において、上記端子押圧部材が上記通電部材側に押されてＯＮ状態となるように上記端子押圧部材を制御することを特徴とするものである。
【００１２】
この発明に係わる気中遮断器は、上記のような端子台を構成要素として用いたことを特徴とするものである。
【発明の効果】
【００１３】
この発明の端子台によれば、一つの通電部材に対し、一つの端子押圧部材が設けられたため、個別に通電部材と端子押圧部材の間に端子を挟んで、端子を通電部材に電気的に接続することが可能であり、ネジを用いずに短時間で配線接続作業を行えるとともに、カムによって端子押圧部材を制御することで、端子押圧部材の通電部材への押圧状態をカム一か所の調整により行うことができ、端子接続作業の簡便化が可能となる。
【００１４】
この発明の気中遮断器によれば、上記のような端子台を備えた構成であるため、気中遮断器内において端子接続作業を行うスペースに制約がある場合であっても、ネジ締め作業に要するスペースは必要ではなく、通電部材と端子押圧部材の間への端子の挿入とカムの制御によって端子接続作業を簡便に行うことができるため、作業性を向上させることが可能となる。
【図面の簡単な説明】
【００１５】
【図１】本発明の実施の形態１における端子台を備えた気中遮断器の外観図である。
【図２】本発明の実施の形態１における端子台の外観図である。
【図３】図２の上下二段の端子接続部のうち、下段側の内部構造を露出させた端子台の斜視図である。
【図４】図3の端子台の右側要部拡大図である。
【図５】図3の端子台の左側要部拡大図である。
【図６】本発明の実施の形態１における端子台の端子のＯＮ状態を示す説明図である。
【図７】本発明の実施の形態１における端子台の端子のＯＦＦ状態を示す説明図である。
【図８】本発明の実施の形態１におけるカムの側面図である。
【図９】本発明の実施の形態２の端子台を備えた気中遮断器の外観図である。
【図１０】本発明の実施の形態３における端子台の端子のＯＮ状態を示す説明図である。
【図１１】本発明の実施の形態３の端子台の要部を示す要部拡大斜視図である。
【図１２】本発明の実施の形態３におけるカムの側面図である。
【図１３】図１２のカムの部分斜視図である。
【発明を実施するための形態】
【００１６】
実施の形態１．
本発明の実施の形態１の端子台１０１（制御端子台）およびその端子台１０１を備えた気中遮断器１００について、図１から図８を用いて説明する。
図１は、本発明の実施の形態１の端子台１０１を備えた気中遮断器１００の外観図であり、例えば、端子台１０１は、気中遮断器１００の上方に配設されている。そして、気中遮断器１００が配電盤の中に設けられるなど、その設置場所によっては、装置全体が筐体内に収納された状態で使用される場合がある。
【００１７】
図１に示すように、気中遮断器１００は、開閉接点部２００と開閉機構部３００を備えている。開閉接点部２００は、絶縁材料で形成されたベース筐体に収納されており、接点部の開閉のため開閉機構部３００と連繋されている。
気中遮断器１００の接点部の開閉は、開閉機構部３００の一構成要素であるトリップバーの操作（例えばハンドリング操作）によって可能となる。当該トリップバーを既定の向きに押し動かして回動させることで開閉機構部３００が駆動され、開閉接点部２００は開路し、これにより気中遮断器１００が遮断された状態となる。この気中遮断器１００の動作状態（導通/遮断）は、補助スイッチ１１において電気的に表示される。
【００１８】
気中遮断器１００の動作状態の切り替えは、ハンドリング操作によって行う以外に、遠隔操作によっても行うことができる。気中遮断器１００を遠隔操作で導通状態となるよう接点部を閉路する遠隔投入用付属装置１３や、遠隔操作で遮断状態となるよう接点部を閉路する遠隔引外し用付属装置１０は、トリップバーの近傍に配置されている。
【００１９】
また、気中遮断器１００は、その動作特性を変更するために電子式引外しリレー１２を備えており、演算によりあらかじめ決定された基準値を超える場合に、トリップコイルを作動させ、トリップバーを回動させることで気中遮断器１００をトリップ動作させるよう構成されている。
そして、端子台１０１の端子接続部には、端子（後述する端子９、例えば丸形端子。制御端子。）が接続され、その端子を介して遠隔引外し用付属装置１０、遠隔投入用付属装置１３、電子式引外しリレー１２に電源が供給されることで、これら遠隔引外し用付属装置１０、遠隔投入用付属装置１３、電子式引外しリレー１２を動作させるよう構成されている。
【００２０】
図２は、端子台１０１の外観図であり、端子接続作業を行う際に作業者がアクセスする正面側の構成を主に示している。図２に示すように、端子台１０１の枠体構造の主構成部となる基部３に対し、端子を接続する端子接続部が横方向に複数並べられた端子接続部列が、上下二段に配設された状態を示している。個々の端子接続部には、端子の個別配線のために、端子を押圧する端子押圧部材５がそれぞれ配置されている。そして、端子接続部列の手前には、内部構成の可動部材を覆うように囲み部材２が取り付けられている。この囲み部材２の端部には、囲み部材２の内側に配設される可動部材（後述するカム４）を制御するための回転操作部１が設けられている。
【００２１】
図３は、端子台１０１の上下二段の端子接続部列のうち、下段側の内部構造を露出させ
るために、下段の囲み部材２を外した状態を示す斜視図である。図３に示すように、囲み部材２を取り外すと、カム４が露出した状態となる。
【００２２】
図４は、図１から図３の端子台１０１の右側部分を拡大した右側要部拡大図であり、カム４の軸部４ａの一方の端部を露出させた図である。軸部４aの端部は、例えば基部３に
回転可能に保持されており、軸部４ａに固定されたカム片４ｂが、端子押圧部材５の通電部材６側への押圧状態を個別に制御している。複数のカム片４ｂは、端子押圧部材５の動きを制御する外周形状を個々に変形させることで動作タイミングをずらせるなどの調整をすることが可能である。
なお、基部３に固定される囲み部材２によって、軸部４ａの押え部を構成することも可能である。
【００２３】
また、図４、図５に示すように、端子台１０１の基部３には通電部材６が配設されている。この通電部材６に端子を接続させるために、端子を通電部材６側に押し付ける端子押圧部材５が設けられている。この端子押圧部材５は、例えば絶縁性部材によって構成され、通電部材６側に押し当てられる第一の面部５ａと、その第一の面部５ａに角度をもって突き合わされた第二の面部５ｂによって構成され、第一の面部５ａと第二の面部５ｂの突き合わされた端部の位置を回動軸（支点）として回動するくの字形状の部材である。さらに端子押圧部材５は、その構成部材の一部を囲み部材２から外部に露出させたハンドリング操作部５ｃを備えている。図４、図５の例では、第二の面部５ｂの回動軸側ではない端部を延在させたハンドリング操作部５ｃを示している。そして、このハンドリング操作部５ｃを作業者が押すことで、個別に端子押圧部材５の制御を行うことができる。
【００２４】
図５は、端子台１０１の左側要部拡大図であり、カム４の軸部４ａの他方の端部に、かさ歯車１４ａが設けられ、このかさ歯車１４ａに、回転操作部１と連動するかさ歯車１４ｂが噛み合う状態が示されている。そして、かさ歯車１４ｂの端部には、回転操作部１が設けられている。
【００２５】
そして、カム４は、端子台１０１の内部に設けられ、軸部４ａを中心に一方向に回転し、その回転状態に応じて端子押圧部材５の通電部材６側への押圧状態を変化させる構造であり、カム４自体は、かさ歯車１４ａ、１４ｂを介して、回転操作部１側から回転状態を制御している。例えば、回転操作部１には、図５に示すように、六角穴が設けられ、その穴にＴレンチ等の図示しない操作部材を挿入し、ストロークを大きくして操作を行うことで回転操作部１の回転を精度よく制御することができる。
【００２６】
また、図4に示すように、個々の端子接続部においては、一つの通電部材６に対して、
一つの端子押圧部材５が配設されている。そして、カム４には、軸部４ａの外側面に、各端子押圧部材５を制御するための複数のカム片４ｂが互いに離間した状態に配設されている。
この端子台１０１は、カム４の軸部４ａを中心とした一回転の回転範囲のうち、第一の回転範囲において、端子押圧部材５が通電部材６側から離間したＯＦＦ状態となるように、カム片４ｂによって端子押圧部材５が制御される。そして、第一の回転範囲とは異なる第二の回転範囲において、端子押圧部材５が通電部材６側に押されてＯＮ状態となるように、カム片４ｂによって端子押圧部材５を制御することが可能な構成となっている。
【００２７】
カム４は、端子接続部の列に平行に、つまり一方向に並んだ複数の通電部材６と平行して軸部４ａが延在するとともに、この円筒形状の軸部４ａに固定された複数のカム片４ｂを備えている。そして、一つの端子押圧部材５に対して、一つのカム片４ｂが配設され、複数の端子押圧部材５は、カム４の複数のカム片４ｂにより、個別に制御されるように構成されている。
【００２８】
図２から図５に示すように、端子台１０１は、端子押圧部材５と、カム４と、通電部材６と、回転操作部１と、囲み部材２と、これらを保持する基部３を、構成要素として含んでいる。
ここで、端子台１０１に配線可能な端子の数は１列あたり１から４０端子、好ましくは２５から２９端子である。
また、例えば、端子接続作業を行う作業者がアクセスする気中遮断器１００の正面側に端子接続部が露出するように端子台１０１が配設されている。
【００２９】
次に、図６を用いて、端子台１０１の端子接続部に端子が接続されたＯＮ状態となる制御について説明する。図６は、端子台１０１の側断面図であり、通電部材６の平面部に、丸形端子等の端子９が押し当てられ、電気的な接続を可能としている。そして、端子９は、端子押圧部材５によって通電部材６側に押圧された状態となっている。
【００３０】
図６に示すように、端子台１０１は、階段状の表面部を持つ基部３の、装置設置面に垂直となる面部（垂直面部）に通電部材６を配設するとともに、装置設置面に平行となる面部（水平面部）の、垂直面部に近い位置に保持部材５０を配設し、この保持部材５０に端子押圧部材５の回動軸５ｄを支持させる構成である。
【００３１】
そして、端子押圧部材５は、第一の面部５ａと第二の面部５ｂとで「くの字形状」をなし、二つの端面が突き合わされた位置を回動軸５ｄとして、なす角を変化させることなく回動する構成である。基部３の垂直面と水平面の間に、端子押圧部材５を設ける場合、端子押圧部材５の第一の面部５ａと第二の面部５ｂのなす角は鋭角となっている。
なお、第一の面部５ａ、第二の面部５ｂは、図６では平板による構成を例示しているが、これに限らず、曲面部を持つ形状や屈曲部を持つ形状など、様々な形状のものを適用させることが可能である。そして、くの字形状のなす角は、設置状況に合わせて、回動角を確保することができる角度に調整して用いることができる。
【００３２】
さらに、図６に示すように、端子押圧部材５の第二の面部５ｂには、カム４のカム片４ｂが当接する当接部（符号Ｐで指し示す領域）があり、カム４と当接部Ｐとの距離がｄに満たない範囲においては、カム片４ｂは端子押圧部材５に接しない。この距離ｄとは、カム片４ｂが当接部Ｐに接し、第二の面部５ｂを押圧しない状態でのカム片４ｂの軸部４ａからの突出量に相当する。
また、第二の面部５ｂには、カム４を通過させるための切り欠き部５ｅが、回動軸５ｄから見て当接部Ｐより遠い領域に設けられて、切り欠き部５ｅ以外の、カム片４ｂと干渉しない部分には、外側に突き出すハンドリング操作部５ｃが設けられている。
【００３３】
ここで、端子押圧部材５は、第二の面部５ｂのカム当接面ではない側の面に、例えば板バネ等よりなる付勢部材５３を備えており、基部３の水平面と第二の面部５ｂの裏面との間隔を広げるように、言い換えると、第二の面部５ｂをカム４側に付勢するように、常に付勢力を働かせている。ここで、付勢部材５３は、端子押圧部材５の第二の面部５ｂに一体に形成する構成、あるいは基部３の平面部に設ける構成とすることも可能である。
【００３４】
さらに、保持部材５０は、端子押圧部材５の回動軸５ｄを保持するための凹部（端子押圧部材５の保持部）を備えるとともに、例えば、基部３に差し込み固定するための差し込み部（図示せず）等を、締結固定部として備えている。
また、例えば、端子台１０１の基部３には、カム４の固定部、囲み部材２の固定部、保持部材５０の差し込み部挿入部、通電部材６の挿入部が設けられている。
【００３５】
図６の例では、カム４は、軸部４ａを中心として時計回りに回転する。そして、カム４
は、端子数と同数の該端子押圧部材５と当接することで端子押圧部材５を制御するカム片４ｂと、一端には回転操作部１とかさ歯車形状のかさ歯車１４ａが設けられている。そして、各カム片４ｂは、例えば、それぞれ角度をずらして連結されている。カム片４ｂの形状は、各々段階的に外形が変化するよう構成し、ＯＮ/ＯＦＦのタイミングを調整するこ
とが可能である。
ここで、全て同じ形状のカム片４ｂを、角度をずらさずに軸部４ａ上に配置し、カム４の回転に伴って一斉に開閉させる構成とすることも可能であるが、回転操作部１側を操作しつつ、多数の端子９を順次接続する作業を行う際には、端子押圧部材５が順次動作するようにカム片４ｂの配置を調整した方が、作業の進み具合を把握しつつの作業とできるため、接続失敗を回避することが可能となる。
【００３６】
そして、端子押圧部材５は、第一の面部５ａから突出し、通電部材６に設けられた孔部に挿通される突起部５１を備え、さらに、端子９の表面を押圧する、突起部５１よりも突出量が小さい端子押え部５２を備えている。
これにより、端子９が丸形端子であり、平面接続部に孔部を有する構造である場合に、その孔部に突起部５１を挿通させることで、端子９の抜けを防止することが可能となる。
また、図５に示すように、端子押え部５２を、例えば複数個設けた構成とすることにより、端子９を通電部材６側に確実に押すことが可能となる。
【００３７】
ここで、通電部材６は、端子押圧部材５の突起部５１と干渉しないように設けられた凹部を有しており、突起部５１との接触を回避しつつ、第一の面部５ａの平面部を端子９の平面部に押し当て、端子９の他方の平面部を通電部材６の平面部にと接触することで気中遮断器１００の内部に接続される。
【００３８】
次に、端子台１０１のＯＮ/ＯＦＦ状態とカム４の回転に伴う端子押圧部材５の動きに
ついて詳細に説明する。
図６に示すように、端子押圧部材５がカム４のカム片４ｂと当接しておらず、端子押圧部材５が通電部材６側に回動し、端子押圧部材５が端子９を通電部材６に押している状態がＯＮ状態であり、端子９が端子台１０１内の構成部材に電気的に接続された状態である。端子押圧部材５を通電部材６側に押す押圧力は、端子押圧部材５（または基部３）に設けられた付勢部材５３により出力される。
図６に示す、点Ａは、全ての端子押圧部材５が通電部材６側に押されたＯＮ状態となる位置であり、点Ｂｎを通過した直後において、全ての端子押圧部材５が通電部材６から最も大きく離間されたＯＦＦ状態となる位置である。
【００３９】
端子台１０１がＯＦＦ状態となるカム４の回転角度を基準とし、端子押圧部材５の突起部５１に端子９を引掛けた（丸形端子の孔部に突起部５１を嵌合させた）状態で、回転操作部１を回転させると、カム４が連繋して回転し、カム片４ｂが軸部４ａを中心として回転し（回転角度が変化し）、図６に示すように、カム４が端子押圧部材５に干渉しない状態となる（外される）と、付勢部材５３により端子押圧部材５が押されて時計方向に回動し、端子９が通電部材６と接触するようになり、端子台１０１に接続した配線から気中遮断器１００を構成する各構成要素への通電が可能なＯＮ状態となる。
【００４０】
図８にカム４の側面図を示すように、ＯＮ状態となるのは、第二の面部５ｂの上面側にカム４が配置された状況下において、当接部Ｐ上方における軸部４ａの表面からのカム片４ｂの突出量がｄに満たない場合である。つまり、図８で言うところの、カム４の、点Ｂｎを通過し、点Ｃに至るまでの回転範囲（Ｂｎ-Ｃ間。第二の回転範囲に相当する。）に
て端子押圧部材５を制御する場合にＯＮ状態とすることができる。
なお、図８のカム４の回転範囲Ｃ-Ａ間で制御を行う場合、つまり、カム片４ｂの突出
量がｄを超え、最大突出量に至るまでの間は、滑らかにカム片４ｂの突出量が増大し、第
一の面部５ａと通電部材６との距離が徐々に大きくなって行く半開き状態となるため、端子９と通電部材６との電気的接続状態は不安定となる。
【００４１】
そして、端子台１０１のＯＮ状態から、さらに回転操作部１を回転させると、カム４が回転し、カム片４ｂが端子押圧部材５の第二の面部５ｂの当接面に接触し始め、カム片４ｂが端子押圧部材５を押すことで、端子押圧部材５は回動軸５ｄを中心として、通電部材６から離れる方向へ回動する。これにより、図７に示すように、端子９を端子押圧部材５から外すことが可能なＯＦＦ状態となる。
【００４２】
図７に示すように、端子台１０１がＯＦＦ状態となるのは、同状況下において、当接部Ｐ上方における軸部４ａからのカム片４ｂの突出量が、全てのカム片４ｂにおいて最大となる場合である。つまり、図８で言うところの、カム４の、点Ａから点Ｂ１に至るまでの回転範囲（Ａ-Ｂ１間。第一の回転範囲に相当する。）にて端子押圧部材５を制御する場
合である。端子押圧部材５がカム片４ｂに当接し、端子押圧部材５の第一の面部５ａの端部が通電部材６から離間している状態がＯＦＦ状態であり、通電部材６への端子接続はなされていない。このＡ-Ｂ１間となる回転範囲では、一列に配列された全ての端子押圧部
材５において、第一の面部５ａの先端部と通電部材６との距離が最大（全開）となり、作業者が端子９の接続作業を行いやすい状態となる。
【００４３】
ここで、図８に示すように、カム４の回転範囲には、第一の回転範囲（Ａ-Ｂ１間）か
ら第二の回転範囲（Ｂｎ-Ｃ間）に至るまでの間に、第三の回転範囲（Ｂ１-Ｂｎ間）を含んでいる。カム４の第三の回転範囲（Ｂ１-Ｂｎ間）における端子押圧部材５の制御にお
いては、一部の端子押圧部材５が通電部材６側から離間したＯＦＦ状態となり、残りの端子押圧部材５が通電部材６側に押されたＯＮ状態となるように構成されている。
【００４４】
そして、この第三の回転範囲（Ｂ１-Ｂｎ間）においては、複数のカム片４ｂは、図８
に示すように、軸部４ａの手前側に固定されたものは、ＯＦＦ状態の範囲が小さく、軸部４ａの奥行側に固定されたものほどＯＦＦ状態の範囲が大きくなる。ここで、回転角度のＢｎを通過した段階でカム片４ｂによる付勢が解除されるため、さらにカム４が回転すると、手前側のカム片４ｂに当接する端子押圧部材５から順次ＯＮ状態に変化していく。
例えば、図８のカム４の場合、第三の回転範囲が約９０度で、ｎ＝２５となるようカム片４ｂの形状を調整している。なお、複数の端子９を同時にＯＦＦ制御するよう、カム片４ｂの軸部４ａへの取り付け位置を調整することも可能である。つまり、制御タイミングの調整は、カム片４ｂの形状およびカム片４ｂの軸部４ａへの取り付け回転角度によって行うことができる。
【００４５】
このように、カム片４ｂの形状に変化をつけ、ＯＦＦからＯＮとなるタイミングが、端子接続箇所毎に変化する構成としたため、端子９を個別に配線していくことが可能である。
そして、作業者は、配線接続作業時において、ＯＮ/ＯＦＦ状態が切り替わる端子接続
箇所に注目し、端子９の接続状態を、順番に確認しながら作業を進めることが可能となり、作業上の視認性を高めることが可能となる。
【００４６】
また、多数の端子９を備えた端子接続部である場合、一斉に多数の端子９を接続させると、全ての端子９の接続状態が良好であるかの確認が取りにくいが、本発明の端子台１０１によれば、カム４の軸部４ａの一端側の端子から他端側へ、順次ＯＮに変化するように制御されるため、端子９の接続状態を一つずつ確認しながら作業を進めることが可能である。
【００４７】
なお、一斉に全ての端子９の接続状態を変化させる場合、端子９に繋がる配線の配置が
大きく変化することが想定されるが、この実施の形態１の端子台１０１では、カム片４ｂのＣ-Ａ間における回転範囲にて、全ての端子９が同じとなるよう制御され、カム４の回
転に伴って徐々にＯＮ状態からＯＦＦ状態に変化するため、端子９に繋がる配線の配置が安定し、作業の安全性を向上させることが可能となる。
【００４８】
さらに、この実施の形態１による端子台１０１を備えた気中遮断器１００によれば、端子９を端子台１０１側の通電部材６と端子押圧部材５の間に挿入する簡便な作業と、作業者がアクセスしやすい端子台１０１の外側に設けられた回転操作部１の操作を行う簡便な作業だけで、端子接続を実施することができるため、端子台１０１が気中遮断器１００の上方に配設され、作業者の目線あるいはより高い位置にて端子接続を行う状況であっても、容易に端子を締結することが可能となる。
また、ネジ締め等の作業を行う必要はないため、端子台１０１の上方に作業スペースを広く確保する必要がない。
【００４９】
またさらに、端子押圧部材５の一端にハンドリング操作部５ｃを設けているため、図６のＯＮ状態から図７のＯＦＦ状態に、任意に切り替えを行うことが可能である。その場合、作業者がハンドリング操作部５ｃを下方側に押し下げる操作を行うことで、付勢部材５３を任意に撓ませ、カム片４ｂで第二の面部５ｂを押下した状態と同様に、第一の面部５ａを通電部材６から引き離すことが可能となる。よって、個別の端子接続部に対して、このハンドリング操作を行っている間に、端子９の挿入や取り外しの作業を行うことが可能であり、個々の端子接続作業を簡易化することができる。
端子台１０１の各接続端子部が、上述のようなハンドリング操作部５ｃを備えた構成であれば、回転操作部１を回転させ、全ての端子接続部をＯＦＦ状態にすることなく、特定の端子接続部のみＯＦＦ状態とすることが可能である。
【００５０】
さらに、上記の例では、ハンドリング操作部５ｃは、端子台１０１の正面手前側に突出した形状である場合を示していたが、同じ作用が可能な形状であれば、変形させて用いることが可能である。また、端子９として、丸形端子を例示したが、適用する装置に応じて異なる端子形状のもの（Ｕ字端子、棒端子等。）を用いることも可能である。
また、各構成部の角度・大きさ等は、端子接続部の状況に応じて調整して用いることが可能であることは言うまでもない。
【００５１】
実施の形態２．
次に、この発明の実施の形態２の端子台１０１および気中遮断器１００について説明する。上述の実施の形態１では、階段状の基部３の垂直面に通電部材６が配設され、水平面に端子押圧部材５を固定し、端子９を鉛直方向下向きに挿入して接続する場合について例示した。しかし、基部３の形状を、端子接続部の構成部が全体的に傾斜するように変形して用いることも可能である。図９に端子台１０１の側断面図を示すように、設置面に対し、垂直ではなく傾斜した面部３ａに通電部材６を配設し、平行ではなく傾斜した面部３ｂに端子押圧部材５を配設しても、実施の形態１の場合と同様に、端子接続を行うことが可能である。
【００５２】
図９のように、基部３に傾斜した面部３ａ、３ｂを設け（両者のなす角は、例えば直角。）、端子接続部を全体的に手前側に傾けた構成とすることで、従来（設置面部が垂直面、水平面の場合）であれば上面側からしか接続作業を行えなかった配線でも、端子台１０１の前面側からも接続作用を行うことが可能となる。よって、受配電盤が小形で気中遮断器１００の上部にスペースがない場合や、気中遮断器１００が受配電の上部に設置された場合でも、気中遮断器１００への配線作業を容易に実施することが可能となる。
【００５３】
実施の形態３．
次に、本発明の実施の形態３の端子台１０１および気中遮断器１００について、図１０から図１３を用いて説明する。図１０は、本発明の実施の形態３における端子台１０１の側断面図であり、端子接続部に端子９が接続されたＯＮ状態を示す説明図である。図１１は、図１０に示す構成の端子台１０１の要部拡大斜視図であり、端子台１０１の右側部分を例示している。そして、図１２は、カム４の側面図であり、多数のカム片４ｂが、軸部４ａの伸びる方向に沿って、段階的に変形された形状であることを示している。図１３は、図１２に示すカム４の要部拡大斜視図であり、カム片４ｂの軸部４ａへの固定状態を例示している。
【００５４】
上述の実施の形態１では、端子押圧部材５を通電部材６へ押す押圧力を付勢部材５３によって出力させていたが、その構成を変更し、この実施の形態３のように、端子押圧部材５を通電部材６側へ押す押圧力を、カム４によって出力させる構成とすることも可能である。
実施の形態１においては、端子押圧部材５の第二の面部５ｂの上側にカム４が配設され、第二の面部５ｂの下側の、基部３の水平面との間に、端子押圧部材５に付勢力を与える付勢部材５３を配設した構成の端子台１０１を例示していたが、この実施の形態３では、第二の面部５ｂの上側に付勢部材５３を、第二の面部５ｂの下側の、基部３の水平面との間にカム４を配設した端子台１０１について説明する。
【００５５】
この構成では、第二の面部５ｂの上方に、基部３に固定された受け部３０を設け、付勢部材５３を当接させて、通電部材６側から端子押圧部材５の第一の面部５ａを離間させる場合のばね出力を得ることができる。
そして、カム４の回転にともなって、剛体であるカム片４ｂにより端子押圧部材５が通電部材６側に押し当てられた状態となる。そのため、端子押圧部材５によって押される端子９を、通電部材６側に接触させるとともに、その接圧力を安定して十分に確保することが可能となる。
【００５６】
なお、端子押圧部材５の第二の面部５ｂの端部には、実施の形態１と同様に、ハンドリング操作部５ｃが設けられている。この実施の形態３の端子台１０１では、端子９が接続されていないＯＦＦ状態であるときに、ハンドリング操作部５ｃを押し上げることで個別に端子押圧部材５を通電部材６側に移動させてＯＮ状態とすることができる。このハンドリング操作部５ｃの操作は、例えばメンテナンス時に、付勢部材５３のばね力の確認を行う場合等に有効である。
【００５７】
ここで、この実施の形態３のカム４による端子押圧部材５の制御について説明する。端子台１０１がＯＦＦ状態となるカム４の回転角度を基準とし、端子押圧部材５の突起部５１に端子９を引掛けた状態で、回転操作部１を回転させると、カム４が連繋して回転し、カム片４ｂが軸部４ａを中心として回転し、図１０に示すように、カム４が端子押圧部材５に押し当てられた状態となると、付勢部材５３を圧縮するとともに端子押圧部材５が押されて時計方向に回動し、端子９が通電部材６と接触するＯＮ状態となる。
【００５８】
図１２にカム４の側面図を示すように、ＯＮ状態となるのは、第二の面部５ｂの下面側にカム４が配置された状況下において、カム片４ｂの最大径が第二の面部５ｂに当接する場合である。つまり、図１２で言うところの、カム４の、点Ｆｎから点Ｄに至るまでの回転範囲（Ｆｎ-Ｄ間。第二の回転範囲に相当する。）にて端子押圧部材５を制御する場合
に、ＯＮ状態とすることができる。点Ｄを通過すると、全ての端子９は一斉にＯＦＦ状態に変化する。
【００５９】
そして、図１２のカム４の回転範囲（Ｄ-Ｅ間。第一の回転範囲）で制御を行う場合、
カム４は第二の面部５ｂに干渉せず、全ての端子接続部がＯＦＦした状態となる。
続いて、カム片４ｂの突出量がｄを超え、最大突出量に至るまでのＥ−Ｆ１間は、滑らかにカム片４ｂの突出量が増大し、第一の面部５ａと通電部材６との距離が徐々に小さくなって行く半閉じ状態となる。
【００６０】
そして、さらに回転操作部１を回転させると、Ｆ１-Ｆｎ間の回転範囲（第三の回転範
囲）において、カム４の回転にともなって、図１２の紙面奥行き側のカム片４ｂから手前側にかけて順番にＯＮ状態に変化し、点Ｆｎにおいては、全ての端子押圧部材５がＯＮ状態となる。
点Ｆｎを通過すると、全ての端子押圧部材５が一斉にＯＦＦ状態となる。そのため、端子９を全て取り外す場合は、Ｆｎ-Ｄに相当するカム片４ｂの回転範囲において端子押圧
部材５を制御すればよい。
【００６１】
また、図１２にカム４の側面図を示すように、カム４は矢印方向に回転し、紙面上一番奥側のカム片４ｂの点Ｆ１が、端子押圧部材５に当接するとき、当該カム４が押し込む端子押圧部材５が最初にＯＮ状態となり、紙面上一番手前側のカム片４ｂの点Ｆｎが、端子押圧部材５に当接するとき、当該カム４が押し込む端子押圧部材５が一番遅れてＯＮ状態となる。そして、点Ｆｎから点Ｄまでの間で、端子押圧部材５を押し込む間、全ての端子押圧部材５がＯＮ状態となる。
【００６２】
このように、カム４のカム片４ｂ形状に応じて、端子接続部の主構成部である端子押圧部材５の制御タイミングを調整することが可能であり、カム片４ｂの形状は、例示したもの以外の様々な形状とすることができる。
例えば、上述の例では、端子接続部が全てＯＦＦの状態から、一つずつ順番にＯＮに変化させて全てのものをＯＮ状態へ移行させる制御を紹介したが、これに限らず、接続端子部（端子押圧部材５）を複数個ずつ、順番にＯＦＦ状態となるように制御することも可能である。
【００６３】
さらに、上述の例では、端子接続部が全てＯＮの状態から、全てのものを一斉にＯＦＦ状態へ移行させる制御を紹介したが、これに限らず、順次ＯＦＦ状態となるように制御することも可能である。その場合、カム４の軸部４ａを中心とした回転範囲の中に、第二の回転範囲から第一の回転範囲に至るまでの間に、第四の回転範囲を含んだ構成となり、カム４の第四の回転範囲における端子押圧部材５の制御において、一部の端子押圧部材５が通電部材６側に押されたＯＮ状態となり、残りの端子押圧部材５が通電部材６側から離間したＯＦＦ状態となるように制御される。
一斉に全ての端子９を端子台１０１から取り外す場合には、端子９に繋がる配線の束の落下に注意しなくてはならないが、上記のように、カム片４ｂに、段階的にＯＦＦ状態の端子接続部が増える第四の回転範囲を設けて制御を行う場合には、順にＯＦＦ動作を行っている間、少なくともＯＮ状態の制御端子部が一つは残っているため、配線の束が高所から落下することはなく、作業時の安全性を高めることが可能である。
【００６４】
さらに、図８、図１０に例示したカム４のカム片４ｂは、点Ｂ１…Ｂｎ、点Ｄにおいて軸部４ａからの突出量が大きく変化し、その位置において軸部４ａの逆回転を抑制させる構成であったが、カム片４ｂの形状を平滑化した場合には、逆回転による制御も可能となり、カム４の操作性を向上させることが可能となる。
【００６５】
前述した本発明の実施例は、本発明の技術的思想を限定するものとして解釈されてはいけない。本発明の保護範囲は請求の範囲に記載された事項によってだけ制限され、本発明の技術の分野における通常の知識を有する者は本発明の技術的思想を多様な形態に改良変更することが可能である。したがって、このような改良及び変更は通常の知識を持つ者にとって自明なものである限り、本発明の保護範囲に属する。
なお、各図中、同一符合は同一または相当部分を示す。
【００６６】
なお、本発明は、その発明の範囲内において、各実施の形態を自由に組み合わせたり、各実施の形態を適宜、変形、省略することが可能である。
【符号の説明】
【００６７】
１  回転操作部、      ２  囲み部材、      ３  基部
３ａ、３ｂ  面部、      ４  カム、      ４ａ  軸部
４ｂ  カム片、      ５  端子押圧部材、      ５ａ  第一の面部
５ｂ  第二の面部、      ５ｃ  ハンドリング操作部、      ５ｄ  回動軸
５ｅ  切り欠き部、      ６  通電部材、      ９  端子
１０  遠隔引外し用付属装置、      １１  補助スイッチ
１２  電子式引出しリレー、      １３  遠隔投入用付属装置
１４ａ、１４ｂ  かさ歯車、      ３０  受け部、      ５０  保持部材
５１  突起部、      ５２  端子押え部、      ５３  付勢部材
１００  気中遮断器、      １０１  端子台
２００  開閉接点部、      ３００  開閉機構部
【図１】
2018101520.tif 000003
【図２】
2018101520.tif 000004
【図３】
2018101520.tif 000005
【図４】
2018101520.tif 000006
【図５】
2018101520.tif 000007
【図６】
2018101520.tif 000008
【図７】
2018101520.tif 000009
【図８】
2018101520.tif 000010
【図９】
2018101520.tif 000011
【図１０】
2018101520.tif 000012
【図１１】
2018101520.tif 000013
【図１２】
2018101520.tif 000014
【図１３】
2018101520.tif 000015